(57)【要約】【課題】ガラス枠施錠用の係合爪の配置自由度を向上させることを目的とする。【解決手段】本発明に係るパチンコ機の錠装置は、表枠の回動自由端側において、表枠の輪郭縦線に沿ってその表枠の裏面に固定される固定板１７と、固定板１７と一体化されており、表枠の輪郭縦線から一定寸法離れた位置で表枠の裏面に対してほぼ直角に立設されて、その表枠の輪郭縦線側が表側となるガイド板１８と、ガイド板１８の表側で固定板１７に取付けられた錠本体２２と、錠本体２２の動作を受けて、ガイド板１８の表側でそのガイド板１８に沿って施錠位置から解錠位置までスライド可能な構成であり、ガラス枠施錠用の複数の係合爪３５を備える第２係合爪部材とを有しており、第２係合爪部材は、ガイド板１８を貫通してそのガイド板１８の裏側方向に突出する突出部を備えており、その突出部の突出端にガラス枠施錠用の係合爪３５が固定されていることを特徴とする。【選択図】　　　図１
2004135701.tif 000002
【特許請求の範囲】
【請求項１】
機台枠に対する表枠の施錠と、表枠に対するガラス枠の施錠とを行うパチンコ機の施錠装置であって、
前記表枠の回動自由端側において、前記表枠の輪郭縦線に沿ってその表枠の裏面に固定される固定板と、
前記固定板と一体化されており、前記表枠の輪郭縦線から一定寸法離れた位置で前記表枠の裏面に対してほぼ直角に立設されて、その表枠の輪郭縦線側が表側となるガイド板と、
前記ガイド板の表側で前記固定板に取付けられた錠本体と、
前記錠本体の動作を受けて、前記ガイド板の表側でそのガイド板に沿って施錠位置から解錠位置までスライド可能な構成であり、表枠施錠用の複数の係合爪を備える第１係合爪部材と、
同じく前記錠本体の動作を受けて、前記ガイド板の表側でそのガイド板に沿って施錠位置から解錠位置までスライド可能な構成であり、前記ガラス枠施錠用の複数の係合爪を備える第２係合爪部材とを有しており、
前記第２係合爪部材は、前記ガイド板を貫通してそのガイド板の裏側方向に突出する突出部を備えており、その突出部の突出端に前記ガラス枠施錠用の係合爪が固定されていることを特徴とするパチンコ機の施錠装置。
【請求項２】
請求項１に記載されたパチンコ機の施錠装置であって、
弾性力で施錠位置に保持されている第２係合爪部材が錠本体の動作を受けて前記弾性力に抗して施錠位置から解錠位置に向かって下方にスライドするときに、ガラス枠施錠用の係合爪が前記ガラス枠の爪受け具から外れて前記ガラス枠を解錠する構成であり、
前記ガラス枠施錠用の係合爪には、解錠時に前記第２係合爪部材が下方にスライドする際に前記ガラス枠の爪受け具と相対摺動し、その爪受け具を前記ガラス枠の開方向に押圧する第１傾斜面と、
施錠時に前記ガラス枠が表枠に対して閉じられる過程で、そのガラス枠の爪受け具と相対摺動し、前記第２係合爪部材を施錠位置から下方にスライドさせる働きをする第２傾斜面とが設けられていることを特徴とするパチンコ機の施錠装置。
【請求項３】
請求項２に記載されたパチンコ機の施錠装置であって、
ガラス枠施錠用の係合爪における第２傾斜面は、その係合爪の端縁を折り曲げることにより形成されていることを特徴とするパチンコ機の施錠装置。
【請求項４】
請求項１から請求項３に記載されたパチンコ機の施錠装置であって、
第２係合爪部材のガラス枠施錠用の係合爪と突出部とは、その第２係合爪部材の他の構成部材と共に一体成形されていることを特徴とするパチンコ機の施錠装置。
【請求項５】
請求項１から請求項３のいずれかに記載されたパチンコ機の施錠装置であって、
第２係合爪部材は、ガラス枠施錠用の係合爪をそれぞれ備える上部係合爪部材と下部係合爪部材とから構成されており、
前記上部係合爪部材と下部係合爪部材とが独立して動作可能な構成であることを特徴とするパチンコ機の施錠装置。
【発明の詳細な説明】
【０００１】
【発明の属する技術分野】
この発明は、機台枠に対する表枠の施錠と、表枠に対するガラス枠の施錠とを行うパチンコ機の施錠装置に関する。
【０００２】
【従来の技術】
この種のパチンコ機の施錠装置１００は、一般的に、図８に示すように、表枠３の回動自由端側の内側面に沿って縦設されており、機台枠２に対する表枠３の施錠及び表枠３に対するガラス枠５の施錠を行う。
前記施錠装置１００は、図９に示すように、固定板１０２とガイド板１０３とによって断面略Ｌ字形に成形された固定基枠１０１を備えている。固定基枠１０１の固定板１０２は、表枠３の輪郭縦線Ｒ（図８参照）に沿ってその表枠３の裏面３ｚに固定されている。また、ガイド板１０３は輪郭縦線Ｒから一定寸法離れた位置で表枠３の裏面３ｚ（固定板１０２）に対してほぼ直角に立設されている。固定板１０２の所定位置には、施錠装置１００の解錠に使用されるシリンダ錠１０５が取付けられている。
【０００３】
表枠３の輪郭縦線Ｒとガイド板１０３との間、即ち、ガイド板１０３の表側には、シリンダ錠１０５の動作を受けて、そのガイド板１０３に沿って施錠位置から解錠位置までバネ力に抗してスライドする第１解錠部材１１２が設けられている。第１解錠部材１１２の上下端には、機台枠２に対する表枠３の施錠に使用される第１係合爪１１０が連結されており、それらの第１係合爪１１０が固定板１０２の支持金具１０２ａによって回動可能に支持されている。
また、ガイド板１０３の表側には、シリンダ錠１０５の動作を受けて、そのガイド板１０３に沿って施錠位置から解錠位置までバネ力に抗してスライドするプレート１２２及び第２解錠部材１２４が設けられている。第２解錠部材１２４の上下端には、表枠３に対するガラス枠５の施錠に使用される第２係合爪１２０が連結されており、それらの第２係合爪１２０がガイド板１０３の表側でそのガイド板１０３によって回動可能に支持されている。
【０００４】
【発明が解決しようとする課題】
上記したパチンコ機の施錠装置によると、表枠３の輪郭縦線Ｒとガイド板１０３との間の狭い範囲内に、第１解錠部材１１２、第１係合爪１１０、プレート１２２、第２解錠部材１２４及び第２係合爪１２０等が配置されるため、その第１係合爪１１０及び第２係合爪１２０等の配置の自由度が低い。このため、前記係合爪１１０，１２０が掛けられる機台枠２の爪受け具やガラス枠５の爪受け具の配置が変更された場合に、上記した錠装置１００が使用できなくなることがある。
本発明は、上記課題を解決するためになされたもので、係合爪等の配置の自由度を向上させて、施錠装置の汎用性を向上させることを目的とする。
【０００５】
【課題を解決するための手段】
上記した課題は、各々の請求項に記載された発明によって解決される。
請求項１の発明は、機台枠に対する表枠の施錠と、表枠に対するガラス枠の施錠とを行うパチンコ機の施錠装置であって、前記表枠の回動自由端側において、前記表枠の輪郭縦線に沿ってその表枠の裏面に固定される固定板と、前記固定板と一体化されており、前記表枠の輪郭縦線から一定寸法離れた位置で前記表枠の裏面に対してほぼ直角に立設されて、その表枠の輪郭縦線側が表側となるガイド板と、前記ガイド板の表側で前記固定板に取付けられた錠本体と、前記錠本体の動作を受けて、前記ガイド板の表側でそのガイド板に沿って施錠位置から解錠位置までスライド可能な構成であり、表枠施錠用の複数の係合爪を備える第１係合爪部材と、同じく前記錠本体の動作を受けて、前記ガイド板の表側でそのガイド板に沿って施錠位置から解錠位置までスライド可能な構成であり、前記ガラス枠施錠用の複数の係合爪を備える第２係合爪部材とを有しており、前記第２係合爪部材は、前記ガイド板を貫通してそのガイド板の裏側方向に突出する突出部を備えており、その突出部の突出端に前記ガラス枠施錠用の係合爪が固定されていることを特徴とする。
【０００６】
本発明によると、ガイド板の表側、即ち、表枠の輪郭縦線とガイド板との間に配置されるのは、表枠施錠用の係合爪等であり、ガラス枠施錠用の係合爪はガイド板の裏側に配置されている。このため、表枠の輪郭縦線とガイド板との間の狭い範囲内に表枠施錠用の係合爪及びガラス枠施錠用の係合爪を配置する場合と比べて、表枠施錠用の係合爪及びガラス枠施錠用の係合爪の配置の自由度が向上する。したがって、機台枠の爪受け具やガラス枠の爪受け具の配置が変更された場合にも、それらの爪受け具の配置に対して表枠施錠用の係合爪及びガラス枠施錠用の係合爪の配置を合わせ易くなり、施錠装置の汎用性が向上する。
なお、ガイド板の裏側におけるガラス枠施錠用の係合爪の位置は第２係合爪部材の突出部の突出寸法を変えることで変更可能である。
【０００７】
また、請求項２の発明は、弾性力で施錠位置に保持されている第２係合爪部材が錠本体の動作を受けて前記弾性力に抗して施錠位置から解錠位置に向かって下方にスライドするときに、ガラス枠施錠用の係合爪が前記ガラス枠の爪受け具から外れて前記ガラス枠を解錠する構成であり、前記ガラス枠施錠用の係合爪には、解錠時に前記第２係合爪部材が下方にスライドする際に前記ガラス枠の爪受け具と相対摺動し、その爪受け具を前記ガラス枠の開方向に押圧する第１傾斜面と、施錠時に前記ガラス枠が表枠に対して閉じられる過程で、そのガラス枠の爪受け具と相対摺動し、前記第２係合爪部材を施錠位置から下方にスライドさせる働きをする第２傾斜面とが設けられていることを特徴とする。
【０００８】
このように、解錠時にガラス枠施錠用の係合爪の第１傾斜面がガラス枠の爪受け具をそのガラス枠の開方向に押圧するため、解錠終了時に第２係合爪部材が弾性力で施錠位置まで戻る際に、ガラス枠施錠用の係合爪がガラス枠の爪受け具に再び掛かるような不具合が生じない。
また、施錠時に前記ガラス枠が表枠に対して閉じられる過程で、ガラス枠の爪受け具とガラス枠施錠用の係合爪の第２傾斜面とが相対摺動し、第２係合爪部材が施錠位置から弾性力に抗して下方にスライドする。このため、ガラス枠の爪受け具がガラス枠施錠用の係合爪の第２傾斜面を通過して係合位置まで到達した段階で、第２係合爪部材が弾性力で施錠位置まで戻され、ガラス枠施錠用の係合爪がガラス枠の爪受け具に掛けられる。即ち、前記ガラス枠を表枠に対して閉じることで、ガラス枠施錠用の係合爪をガラス枠の爪受け具に自動的に掛けることができる。
【０００９】
また、請求項３によると、ガラス枠施錠用の係合爪における第２傾斜面は、その係合爪の端縁を折り曲げることにより形成されている。このため、ガラス枠施錠用の係合爪の第２傾斜面が経時的に摩耗し難くなる。
また、請求項４によると、第２係合爪部材のガラス枠施錠用の係合爪と突出部とは、その第２係合爪部材の他の構成部材と共に一体成形されている。このため、ガラス枠施錠用の係合爪と突出部等とを別部材で形成して相互に連結させる構成よりもガタが少なくなり、施錠時におけるガラス枠施錠用の係合爪とガラス枠の爪受け具との係合を確実にできる。
【００１０】
また、請求項５によると、第２係合爪部材は、ガラス枠施錠用の係合爪をそれぞれ備える上部係合爪部材と下部係合爪部材とから構成されており、上部係合爪部材と下部係合爪部材とが独立して動作可能な構成である。このため、上側あるいは下側のいずれか係合爪が特殊工具により不正に解錠方向に回動させられても、この動きが他の係合爪に伝わることがなく、他の係合爪は施錠位置に保持されている。したがって、ガラス枠が表枠から不正に開かれ難くなる。
【００１１】
【発明の実施の形態】
以下、図１から図８に基づいて、本発明の実施形態１に係るパチンコ機の施錠装置の説明を行う。ここで、図１は本実施形態に係る施錠装置を表枠の中央側から見た側面図（図３（Ｂ）のＩ−　Ｉ矢視図）等、図２は図１のＩＩＡ−　ＩＩＡ矢視拡大図等、図３は施錠装置を表枠の輪郭縦線側から見た側面図等、図４、図５は施錠装置の分解図である。また、図６は第２係合爪部材の変更例を表す側面図、図７は本実施形態に係る施錠装置を備えるパチンコ機の前方斜視図、図８は同じく後方斜視図である。なお、パチンコ機の幅方向をＸ方向、前後方向をＹ方向、高さ方向をＺ方向として図示する。
【００１２】
パチンコ機１は、図７、図８に示すように、略方形枠状に形成されて本体ケースとなる機台枠２を備えている。機台枠２の前面側には、ヒンジ（図示せず）を介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジを介して片開き状にガラス枠５が取付けられている。また、このガラス枠５の下部側に玉受け皿を有する前板６がヒンジを介して片開き状に取付けられている。
【００１３】
機台枠２には、図８に示すように、縦枠２ａの内側面の上下所定位置にその機台枠２の内方に突出する第１爪受け具７が止着されている。第１爪受け具７には、表枠３に取付けられた施錠装置１０の上下の第１係合爪２０（図１〜図３等参照）がそれぞれ掛けられようになっている。そして、第１係合爪２０が第１爪受け具７に掛けられた状態で、表枠３は機台枠２に対して施錠される。
図７に示すように、表枠３の表面自由端側を構成する縦枠３ａには、ガラス枠５の上端、下端に対応する位置に一対の長孔３ｂが貫設されており、それらの長孔３ｂから施錠装置１０の上下の第２係合爪３５が突出している。
【００１４】
一方、ガラス枠５の自由端側の裏面には、表枠３の自由端側の表面から突出した第２係合爪３５が掛けられる第２爪受け具８が止着されている。そして、第２係合爪３５が第２爪受け具８にそれぞれ掛けられた状態で、ガラス枠５は表枠３に対して施錠される。
表枠３の縦枠３ａには、前板６の上端、下端に対応する位置に一対の長孔３ｆが貫設されており、それらの長孔３ｆに前板６の自由端側の裏面に設けられた第３係合爪９が挿入可能となっている。表枠３の裏側には、長孔３ｆに通された第３係合爪９が掛けられる第３爪受け具（図示されていない）が設けられている。
表枠３の上下の長孔３ｆの間には、シリンダ錠２２を取付ける錠取付孔が貫設されている。また、前板６の回動自由端には、表枠３のシリンダ錠２２に対応する位置に、そのシリンダ錠２２との干渉を避けるための切欠き６ｃが設けられている。
【００１５】
施錠装置１０は、表枠３に対するガラス枠５の施錠と、機台枠２に対する表枠３の施錠とを行う装置であり、図８に示すように、表枠３の裏面自由端側に縦設されている。施錠装置１０は、図４、図５の分解図に示すように、断面略Ｌ字形をした固定基枠１５と、上下に第１係合爪２０を備える第１係合爪部材２５と、上下に第２係合爪３５を備える第２係合爪部材３０とを備えている。
ここで、図４は、図３（Ａ）の分解図であり、図５は、図３（Ｂ）の分解図である。
【００１６】
固定基枠１５は、施錠装置１０を表枠３の裏面に取付けるとともに第１係合爪部材２５及び第２係合爪部材３０等をスライド可能に支持する部材であり、固定板１７とガイド板１８とにより断面略Ｌ形に形成されている。固定板１７は、表枠３の輪郭縦線Ｒ（図８参照）に沿ってその表枠３の裏面３ｚに固定されている。また、ガイド板１８は輪郭縦線Ｒから一定寸法離れた位置で表枠３の裏面３ｚ（固定板１７）に対してほぼ直角に立設されている。ここで、表枠３の輪郭縦線Ｒ側（固定板１７側）をガイド板１８の表側と呼ぶことにする。
固定基枠１５の固定板１７の下端部寄りには、図３（Ａ）、（Ｂ）に示すように、シリンダ錠２２が着脱可能に取付けられている。シリンダ錠２２は施錠装置１０の解錠を行うための錠であり、そのシリンダ錠２２の回転軸２２ｊの先端に略ブーメラン形状の解錠レバー２３が取付けられている（図４参照）。
【００１７】
解錠レバー２３は、第１解錠片２３ａと第２解錠片２３ｂとから構成されており、第１解錠片２３ａが後述する第１係合爪部材２５の掛合突片２６（図４参照）と下方から係合している。このため、シリンダ錠２２がキー操作されて、解錠レバー２３が図３（Ｂ）中左回動すると、第１解錠片２３ａによって第１係合爪部材２５が押し上げられる。また、解錠レバー２３の第２解錠片２３ｂは後述する第２係合爪部材３０の掛合突片３６に上方から係合している。このため、シリンダ錠２２のキー操作により解錠レバー２３が図３（Ｂ）中右回動すると、第２解錠片２３ｂによって第２係合爪部材３０が押し下げられる。
【００１８】
第１係合爪部材２５は、ガイド板１８の表側で、そのガイド板１８に沿って上方にスライドすることにより上下の第１係合爪２０を上回動させ、下方にスライドすることによりそれらの第１係合爪２０を下回動させる錠板であり、その第１係合爪部材２５が下限位置にあるときに、第１係合爪２０は機台枠２の第１爪受け具７と係合する水平位置（係合位置）に保持される。
【００１９】
第１係合爪２０は上方から機台枠２の第１爪受け具７に掛けられる構成であり、それらの第１係合爪２０の下側先端部に第１爪受け具７と係合する切り欠き２０ｋが形成されている。また、切り欠き２０ｋの位置から第１係合爪２０の先端までは、先端側が高くなるように傾斜した傾斜面２０ｓが形成されている。第１係合爪２０の傾斜面２０ｓは、後記するように、表枠３の施錠をする際に機台枠２の第１爪受け具７に対して摺動する部分であり、その第１係合爪２０の端縁を一定幅でほぼ直角に折り曲げることにより形成される。
【００２０】
各々の第１係合爪２０は、図４等に示すように、その基端部が第１ロックピン２０ｐによって固定板１７に取付けられた上部ガイド金具１７ａ及び下部ガイド金具１７ｂにそれぞれ回動可能な状態で取付けられている（一点鎖線参照）。なお、上部ガイド金具１７ａ及び下部ガイド金具１７ｂには、第１係合爪２０の回動範囲を規制するストッパ１７ｅ，１７ｆが設けられている。
さらに、各々の第１係合爪２０の略中央部が連結ピン２０ｒによって後記する第１係合爪部材２５の上部板２７と下部板２９とに連結されている。
【００２１】
第１係合爪部材２５は、上部板２７と、中央板２８と、下部板２９とから構成されている。
第１係合爪部材２５の上部板２７には、上側の第１係合爪２０が前述の連結ピン２０ｒによって回動可能に連結されており、その上部板２７の下部に上部ピン２７ｐが固定されている。
第１係合爪部材２５の中央板２８は、上部に上縦長孔２８ｕが形成されており、その上縦長孔２８ｕに上部板２７の上部ピン２７ｐが通されている。これによって、第１係合爪部材２５の上部板２７と中央板２８とが直列に連結される。
【００２２】
中央板２８には、幅方向端部の略中央に係合突起２８ｋが形成されており、その係合突起２８ｋが固定基枠１５の固定板１７に形成されたガイド受け部１７ｕに嵌め込まれている。ガイド受け部１７ｕは、固定板１７に直角な段差面と、固定板１７に平行なガイド面とを有しており、中央板２８の係合突起２８ｋを上下方向（スライド方向）にガイド可能、かつその係合突起２８ｋの下限ストッパとして動作するように構成されている。
【００２３】
中央板２８の下端部には、後記する下縦長孔２８ｄの下方に開口２８ｈが貫設されており、その開口２８ｈの縦辺の高さ方向ほぼ中央に掛合突片２６が形成されている。そして、掛合突片２６に前述のシリンダ錠２２の第１解錠片２３ａが下方から掛けられるようになっている。
第１係合爪部材２５の下部板２９にはその上部寄りに下部ピン２９ｐが固定されており、その下部ピン２９ｐが中央板２８の下縦長孔２８ｄに通されている。これによって、第１係合爪部材２５の中央板２８と下部板２９とが直列に連結される。また、下部板２９には、下側の第１係合爪２０が前述の連結ピン２０ｒによって回動可能に連結されている。
さらに、下部板２９には、中央板２８の開口２８ｈに対応する位置に開口２９ｈが形成されている。
【００２４】
第１係合爪部材２５の上部板２７及び下部板２９には、それぞれバネ受け２７ｂ，２９ｂが形成されており、そのバネ受け２７ｂ，２９ｂに、それぞれ第１バネ４１、第２バネ４２の一端が掛けられている。そして、第１バネ４１、第２バネ４２の他端が固定基枠１５のバネ受け１７ｘ，１７ｙに掛けられている。第１バネ４１、第２バネ４２は、上部板２７及び下部板２９を引き下げる方向に付勢されている。このため、上下の第１係合爪２０は第１バネ４１及び第２バネ４２の力で機台枠２の第１爪受け具７に掛けられる係合位置（水平位置）に保持されている。
また、この状態で、第１係合爪部材２５における上部板２７の上部ピン２７ｐ及び下部板２９の下部ピン２９ｐは、図３（Ａ）に示すように、中央板２８の上縦長孔２８ｕ及び下縦長孔２８ｄの下端面にそれぞれ当接している。
【００２５】
上記構造により、シリンダ錠２２の第１解錠片２３ａによって第１係合爪部材２５の中央板２８の掛合突片２６が押上げられると、その中央板２８の上縦長孔２８ｕ及び下縦長孔２８ｄの下端面によって下部ピン２９ｐ、上部ピン２７ｐが押上げられ、上部板２７及び下部板２９は共に第１バネ４１及び第２バネ４２の力に抗して上方にスライドする。これによって、第１係合爪２０は第１ロックピン２０ｐの回りを上方に回動（図３（Ａ）、図４中左回動）し、第１係合爪２０と機台枠２の第１爪受け具７との係合が解除されて、表枠３の解錠が行われる。
即ち、シリンダ錠２２が本発明の錠本体に相当し、第１係合爪２０が表枠施錠用の係合爪に相当する。
【００２６】
第２係合爪部材３０は、図２、図４に示すように、帯板状の爪部材本体３２と、その爪部材本体３２の上下所定位置で、爪部材本体３２の裏側方向に折り曲げられた突出部３３と、それらの突出部３３の先端に固定された第２係合爪３５とから構成されている。第２係合爪部材３０の爪部材本体３２は、図３（Ｂ）等に示すように、ガイド板１８の表側で、そのガイド板１８と第１係合爪部材２５と間に配置されている。また、第２係合爪部材３０の突出部３３は、図２（Ａ）に示すように、ガイド板１８に形成されたスリット状の開口１８ｗに通されてガイド板１８の裏側に突出しており、その突出部３３の突出端に第２係合爪３５が爪部材本体３２とほぼ平行に固定されている。即ち、第２係合爪３５は、図１に示すように、ガイド板１８の裏側に配置される。
ここで、開口１８ｗの幅寸法及び長さ寸法は、ガイド板１８と第２係合爪部材３０とが干渉しない寸法に設定されている。また、第２係合爪部材３０の爪部材本体３２、突出部３３及び第２係合爪３５は、例えば、鉄板をプレスすることにより一体成形される。
【００２７】
上下の第２係合爪３５は、図２（Ｂ）等に示すように、下方からガラス枠５の第２爪受け具８に掛けられる構成であり、第２係合爪部材３０がガイド板１８に沿って上限位置（施錠位置）までスライドした状態でガラス枠５の第２爪受け具８と係合状態に保持される。
即ち、第２係合爪３５が本発明のガラス枠施錠用の係合爪に相当する。
【００２８】
第２係合爪３５の先端部分は、図２（Ｂ）に示すように、略台形状に切り欠かれており、上から順番に第１傾斜面３５ｕ、垂直面３５ｅ及びＶ字形溝３５ｖが形成されている。第１傾斜面３５ｕは、ガラス枠５の解錠の際、そのガラス枠５の第２爪受け具８をガラス枠５の開方向に押圧する部分であり、下向きの状態で先端側が高くなるように傾斜が設けられている。Ｖ字形溝３５ｖは、ガラス枠５の第２爪受け具８に掛けられる部分であり、ガラス枠５の第２爪受け具８に合わせてその深さ寸法が設定されている。
【００２９】
第２係合爪３５には、Ｖ字形溝３５ｖより先端寄りの位置に第２傾斜面３５ｄが形成されている。第２傾斜面３５ｄは、ガラス枠５の施錠の際、そのガラス枠５の第２爪受け具８が当接し、さらに摺動する部分であり、ガラス枠５の閉じ力を第２係合爪部材３０の押し下げ力に変換する働きをする。第２傾斜面３５ｄは、上向きの状態で先端側が低くなるよう傾斜が設けられている。第２傾斜面３５ｄは、耐摩耗性を考慮して、第２係合爪３５の端縁を一定幅でほぼ直角に折り曲げることにより形成されている。
【００３０】
第２係合爪部材３０の爪部材本体３２の幅方向中央には、図４に示すように、上下の第２係合爪３５の近傍に上部長孔３２ｕと下部長孔３２ｄとが形成されており、各々の長孔３２ｕ，３２ｄに固定基枠１５のガイド板１８に固定された連結ピン１８ｒが通されている。この構成により、第２係合爪部材３０はガイド板１８に対して長孔３２ｕ，３２ｄの長さ寸法分だけスライドが可能になる。
【００３１】
また、第２係合爪部材３０の爪部材本体３２には、固定板１７と反対側の端部中央に解錠レバー３２ｒが形成されており、その解錠レバー３２ｒの下側で固定板１７側の端部にバネ受け３２ｂが設けられている。バネ受け３２ｂには第３バネ４３の一端が掛けられており、その第３バネ４３の他端が固定板１７の中央バネ受け１７ｍに掛けられている。第３バネ４３は、第２係合爪部材３０を引き上げる方向に付勢されている。これによって、上下の第２係合爪３５は第３バネ４３のバネ力でガラス枠５の第２爪受け具８に掛けられる施錠位置に保持されている。また、この状態で、ガイド板１８の連結ピン１８ｒは、第２係合爪部材３０の上部長孔３２ｕ及び下部長孔３２ｄの下端面に当接するようになる。
【００３２】
第２係合爪部材３０の爪部材本体３２の下端部には、角形の切欠き３７が形成されており、その切欠き３７の縦辺の高さ方向ほぼ中央に掛合突片３６が形成されている。そして、掛合突片３６に前述のシリンダ錠２２の第２解錠片２３ｂが上方から掛けられるように構成されている。
この構造により、シリンダ錠２２の第２解錠片２３ｂによって第２係合爪部材３０の掛合突片３６が押下げられると、第２係合爪部材３０は第３バネ４３の力に抗して下方にスライドする。この結果、上下の第２係合爪３５も下方に移動し、第２係合爪３５とガラス枠５の第２爪受け具８との係合が解除されて、ガラス枠５の解錠が行われる。
また、第２係合爪部材３０を解錠レバー３２ｒで押し下げても、ガラス枠５の解錠を行なうことができる。
【００３３】
次に、パチンコ機１の施錠装置１０の動作を簡単に説明する。
ガラス枠５の施錠は、そのガラス枠５を閉じることにより自動的に行われる。即ち、ガラス枠５を閉じることにより、ガラス枠５の第２受け金具８が第２係合爪３５の第２傾斜面３５ｄに当接し（図２（Ｂ）参照）、その第２傾斜面３５ｄと第２受け金具８とが摺動する。この摺動作用により第２係合爪３５は第２受け金具８から押下力を受け、それらの第２係合爪３５を備える第２係合爪部材３０が第３バネ４３の力に抗して下方にスライドする。そして、ガラス枠５の第２受け金具８が第２係合爪３５の第２傾斜面３５ｄから外れてＶ字形溝３５ｖに到達した状態で、第２係合爪部材３０が第３バネ４３の力で上方にスライドし、第２係合爪３５が第２受け金具８に掛けられる。これによって、ガラス枠５の施錠が行われる。
【００３４】
ガラス枠５の解錠はシリンダ錠２２のキー操作によって行なわれる。即ち、シリンダ錠２２をキー操作して解錠レバー２３を図３（Ｂ）において右回動させることで、その解錠レバー２３の第２解錠片２３ｂが第２係合爪部材３０の掛合突片３６を押し下げる。
これによって、第２係合爪部材３０が第３バネ４３の力に抗して下方にスライドし、第２係合爪３５とガラス枠５の第２受け金具８との係合が解除される。さらに、第２係合爪部材３０が下方にスライドすることにより、第２係合爪３５の第１傾斜面３５ｕがガラス枠５の第２受け金具８に対して摺動し、その第２受け金具８をガラス枠５の開方向に押圧する。これによって、ガラス枠５の解錠と同時にそのガラス枠５がある程度開かれ、解錠終了時に第２係合爪部材３０が第３バネ４３の力で施錠位置まで戻る際に、第２係合爪３５がガラス枠５の爪受け具８に再び掛かるような不具合が生じない。
【００３５】
機台枠２に対する表枠３の施錠は、上記したガラス枠５の場合と同様に、その表枠３を閉じることにより自動的に行われる。
表枠３が施錠されている状態で、例えば、下側の第１係合爪２０が特殊工具により解錠方向（上回動方向）の力を受けると、第１係合爪２０は解錠方向に回動するとともに、第１係合爪部材２５の下部板２９が上方にスライドする。しかし、第１係合爪部材２５の下部板２９が上方にスライドしても、下部板２９の下部ピン２９ｐは中央板２８の下縦長孔２８ｄ内を上方に移動するだけであり、両者２９ｐ，２８ｄは係合しない。このため、第１係合爪２０の回動力は第１係合爪部材２５の中央板２８に伝わらない。したがって、第１係合爪部材２５の中央板２８は下限位置に保持され、上側の第１係合爪２０も第１バネ４１の力で下限位置に保持される。即ち、下側の第１係合爪２０を不正に解錠しても上側の第１係合爪２０は施錠位置に保持されるため、表枠３を開くことはできない。
【００３６】
同様に、上側の第１係合爪２０を不正に解錠しても、その第１係合爪２０の回動力は第１係合爪部材２５の中央板２８に伝わらないため、下側の第１係合爪２０は施錠位置に保持される。したがって、表枠３を開くことはできない。即ち、表枠３を不正に開くためには、上下の第１係合爪２０を同時に特殊工具で解錠しなければならないため、不正行為が成立し難くなる。
【００３７】
表枠３の解錠はシリンダ錠２２のキー操作により行なわれる。即ち、シリンダ錠２２をキー操作して解錠レバー２３を図３（Ｂ）において左回動させることで、その解錠レバー２３の第１解錠片２３ａが第１係合爪部材２５の中央板２８の掛合突片２６を押上げる。これによって、中央板２８の上縦長孔２８ｕ及び下縦長孔２８ｄの下端面によって下部板２９の下部ピン２９ｐ、上部板２７の上部ピン２７ｐが押上げられ、上部板２７及び下部板２９は共に第１バネ４１及び第２バネ４２の力に抗して上方にスライドする。この結果、第１係合爪２０は第１ロックピン２０ｐの回りを上方に回動（図４中左回動）し、第１係合爪２０が機台枠２の第１受け金具７から外され、表枠３の解錠が行われる。
【００３８】
上記したように、本実施形態に係るパチンコ機の施錠装置１０によると、ガイド板１８の表側、即ち、表枠３の輪郭縦線Ｒとガイド板１８との間に配置されているのは、第１係合爪２０及び第１係合爪部材２５、第２係合爪部材３０の爪部材本体３２等であり、第２係合爪３５はガイド板１８の裏側に配置されている。このため、表枠３の輪郭縦線Ｒとガイド板１８との間の狭い範囲内に第１係合爪２０及び第２係合爪３５を共に配置する場合と比べて、第１係合爪２０及び第２係合爪３５の配置の自由度が向上する。したがって、機台枠２の爪受け具７やガラス枠５の爪受け具８の配置が変更された場合にも、それらの爪受け具７，８の配置に対して第１係合爪２０及び第２係合爪３５の配置を合わせ易くなり、施錠装置１０の汎用性が向上する。
【００３９】
なお、ガイド板１８の裏側における第２係合爪３５の位置は第２係合爪部材３０の突出部３３の突出寸法を変えることで変更可能である。
また、第２係合爪３５は、ガイド板１８の裏側に配置されているため、表枠３と機台枠２との合わせ目から特殊工具で不正に第２係合爪３５を回動させようとしても、ガイド板１８が障壁となって不正行為が成立し難い。したがって、第２係合爪３５と第２係合爪部材３０との間に、特に不正解錠防止機構を設けなくても良くなる。
【００４０】
また、第２係合爪３５の第２傾斜面３５ｄは、その第２係合爪３５の端縁を折り曲げることにより形成されている。このため、第２係合爪３５の第２傾斜面３５ｄが経時的に摩耗し難くなる。
また、第２係合爪部材３０の第２係合爪３５と突出部３３とは、その第２係合爪部材の爪部材本体３２と一体成形されている。このため、第２係合爪３５、突出部３３、爪部材本体３２を別部材で形成して互いに連結させる構成よりもガタが少なくなり、施錠時における第２係合爪３５とガラス枠５の爪受け具８との係合を確実にできる。
【００４１】
本実施形態では、第２係合爪部材３０に一体成形品を使用する例を示したが、図６に示すように、第２係合爪部材３０を上部係合爪部材３０ａと下部係合爪部材３０ｂとから構成することも可能である。
上部係合爪部材３０ａは、図６（Ｂ）に示すように、上側の第２係合爪３５及び突出部３３と爪部材本体３２ａとから構成されており、その爪部材本体３２ａの中央上寄りに長孔状の逃がし孔３２ｙが形成されている。なお、爪部材本体３２ａは逃がし孔３２ｙを除き前述の第２係合爪部材３０の爪部材本体３２と同じ構造である。
【００４２】
下部係合爪部材３０ｂは、図６（Ａ）に示すように、下側の第２係合爪３５及び突出部３３と爪部材本体３２ｅとから構成されており、その爪部材本体３２ｅの上端部であって、上部係合爪部材３０ａの逃がし孔３２ｙに相当する位置に上部長孔３２ｘが形成されている。下部係合爪部材３０ｂの爪部材本体３２ｅは、上部係合爪部材３０ａの爪部材本体３２ａと下端部を揃えた状態で、その上部係合爪部材３０ａの爪部材本体３２ａと完全に重なるように形成されている。
【００４３】
上部係合爪部材３０ａと下部係合爪部材３０ｂとからなる第２係合爪部材３０は、図６（Ｃ）に示すように、上部係合爪部材３０ａの上に下部係合爪部材３０ｂが重ねられた状態で、固定基枠１５のガイド板１８に上下スライド可能な状態で装着される。なお、下部係合爪部材３０ｂの上部長孔３２ｘ及び上部係合爪部材３０ａの逃がし孔３２ｙには、固定基枠１５のガイド板１８に固定された連結ピン１８ｚが通されている。また、上部係合爪部材３０ａ及び下部係合爪部材３０ｂは、それぞれ第３上部バネ４３ａ及び第３下部バネ４３ｂのバネ力で施錠位置まで引き上げられている。
【００４４】
この構造により、シリンダ錠２２の第２解錠片２３ｂによって上部係合爪部材３０ａ及び下部係合爪部材３０ｂの掛合突片３６が同時に押下げられると、上部係合爪部材３０ａ及び下部係合爪部材３０ｂが第３上部バネ４３ａ、第３下部バネ４３ｂの力に抗して下方にスライドする。この結果、上下の第２係合爪３５も下方に移動し、第２係合爪３５とガラス枠５の第２爪受け具８との係合が解除されて、ガラス枠５の解錠が行われる。
【００４５】
しかし、ガラス枠５が施錠されている状態で、例えば、下側の第２係合爪３５が特殊工具により解錠方向（下方向）の力を受けると、第２係合爪３５及び下部係合爪部材３０ｂは第３下部バネ４３ｂの力に抗して下方にスライドする。しかし、上部係合爪部材３０ａと下部係合爪部材３０ｂとは連結されていないため、下部係合爪部材３０ｂが下方にスライドしても、上部係合爪部材３０ａは施錠位置に保持される。即ち、下側の第２係合爪３５を不正に解錠しても上側の第２係合爪３５は施錠位置に保持されるため、ガラス枠５を開くことはできない。同様に、上側の第２係合爪３５を不正に解錠しても下側の第２係合爪３５は施錠位置に保持されるため、ガラス枠５を開くことはできない。したがって、不正行為が成立し難くなり、パチンコ機の防犯性能が向上する。
【００４６】
【発明の効果】
本発明によると、表枠の輪郭縦線とガイド板との間の狭い範囲内に第１係合爪及び第２係合爪を配置する場合と比べて、第１係合爪及び第２係合爪の配置の自由度が向上する。
【図面の簡単な説明】
【図１】本発明の実施形態１に係るパチンコ機の施錠装置を表枠の中央側から見た側面図（図３（Ｂ）のＩ−　Ｉ矢視図）である。
【図２】図１のＩＩＡ　−ＩＩＡ矢視拡大図（Ａ図）、Ａ図のＢ矢視図（Ｂ図）である。
【図３】パチンコ機の施錠装置を表枠の輪郭縦線側から見た側面図（Ａ図）、及び同施錠装置の裏面図（Ｂ図）である。
【図４】同施錠装置を表枠の輪郭縦線側から見た側面図の分解図である。
【図５】同施錠装置の裏面図の分解図である。
【図６】下部係合爪部材を表す側面図（Ａ図）、上部係合爪部材を表す側面図（Ｂ図）及び第２係合爪部材を表す側面図（Ｃ図）である。
【図７】本実施形態１に係る施錠装置を備えるパチンコ機の前方斜視図である。
【図８】パチンコ機の後方斜視図である。
【図９】従来のパチンコ機の施錠装置の分解斜視図である。
【符号の説明】
Ｒ　　　輪郭縦線
２　　　機台枠
３　　　表枠
５　　　ガラス枠
６　　　前板
１７　　固定板
１８　　ガイド板
２０　　第１係合爪
２０ｓ　傾斜面
２２　　シリンダ錠（錠本体）
２５　　第１係合爪部材
３０　　第２係合爪部材
３０ａ　上部係合爪部材
３０ｂ　下部係合爪部材
３２　　爪部材本体
３３　　突出部
３５　　第２係合爪
３５ｕ　第１傾斜面
３５ｄ　第２傾斜面
【図１】
2004135701.tif 000003
【図２】
2004135701.tif 000004
【図３】
2004135701.tif 000005
【図４】
2004135701.tif 000006
【図５】
2004135701.tif 000007
【図６】
2004135701.tif 000008
【図７】
2004135701.tif 000009
【図８】
2004135701.tif 000010
【図９】
2004135701.tif 000011